(57)【要約】【課題】柱や基礎の大型化を抑えた木質二方向ラーメン構造物を提供する。【解決手段】ラーメン構造物１１は、基礎部２１〜２４及び出隅部３１〜３３を有する基礎２０と、基礎２０に支持された柱群４１〜４３と、柱群４１〜４３に支持された梁６１、６２と、締結具とを備える。第１柱群４１は、柱５１〜５３を有する。第１柱５１は、第１出隅部３１に設けられている。第２柱５２は、第１基礎部２１の第１上面２１Ａに、第１柱５１から離間して設けられている。第３柱５３は、第２基礎部２２の第２上面２２Ａに、第１柱５１から離間して設けられている。柱５１、５３は、第１梁６１を挟む。柱５１、５２は、第２梁６２を挟む。第１梁６１の一端は、第１締結具によって、柱５１、５３に固定される。第２梁６２は、第２締結具によって、柱５１、５２に固定される。第１梁６１の他端側、及び第２梁６２の両端も同様にして柱５１〜５８に固定される。【選択図】図２
2018178509.tif 000002
【特許請求の範囲】
【請求項１】
第１出隅部、第２出隅部、及び第３出隅部を有する基礎と、
上記第１出隅部に設けられる第１柱群と、
上記第２出隅部に設けられる第２柱群と、
上記第３出隅部に設けられる第３柱群と、
上記第１柱群及び上記第２柱群に支持される第１梁と、
上記第１柱群及び上記第３柱群に支持されて、上記第１梁と同じ高さに配置される第２梁と、を備えており、
上記第１出隅部は、上記第２出隅部へ延びる一定幅の第１上面、及び上記第３出隅部へ延びる一定幅の第２上面が交差しており、
上記第２出隅部は、上記第１上面、及び一定幅の第３上面が交差しており、
上記第３出隅部は、上記第２上面、及び一定幅の第４上面が交差しており、
上記第１柱群は、
上記第１出隅部における上記第１上面及び上記第２上面の交差位置の直上に立設された木製の第１柱と、
上記第１柱から離間して上記第１上面の直上に立設され、上記第１柱と共に上記第２梁を挟む木製の第２柱と、
上記第１柱から離間して上記第２上面の直上に立設され、上記第１柱と共に上記第１梁を挟む木製の第３柱と、を具備しており、
上記第２柱群は、
上記第２出隅部における上記第２上面及び上記第３上面の直上に立設された木製の第４柱と、
上記第４柱から離間して上記第３上面の直上に立設され、上記第４柱と共に上記第１梁を挟む木製の第５柱と、を具備しており、
上記第３柱群は、
上記第３出隅部における上記第２上面及び上記第４上面の直上に立設された木製の第６柱と、
上記第６柱から離間して上記第４上面の直上に立設され、上記第６柱と共に上記第２梁を挟む木製の第７柱と、を具備しており、
上記第１柱、上記第３柱、及び上記第１梁を貫通して締結する第１締結具と、
上記第１柱、上記第２柱、及び上記第２梁を貫通して締結する第２締結具と、
上記第４柱、上記第５柱、及び上記第１梁を貫通して締結する第３締結具と、
上記第６柱、上記第７柱、及び上記第２梁を貫通して締結する第４締結具と、を更に備える木質二方向ラーメン構造物。
【請求項２】
上記第１柱と上記第２柱との間であって、上下方向において上記第１上面と上記第１梁との間に配置された第１スペーサと、
上記第１柱と上記第３柱との間であって、上下方向において上記第２上面と上記第２梁との間に配置された第２スペーサと、
上記第４柱と上記第５柱との間であって、上下方向において上記第１上面と上記第１梁との間に配置された第３スペーサと、
上記第６柱と上記第７柱との間であって、上下方向において上記第２上面と上記第２梁との間に配置された第４スペーサと、
上記第１柱、上記第２柱、及び上記第１スペーサを締結する第５締結具と、
上記第１柱、上記第３柱、及び上記第２スペーサを締結する第６締結具と、
上記第４柱、上記第５柱、及び上記第３スペーサを締結する第７締結具と、
上記第６柱、上記第７柱、及び上記第４スペーサを締結する第８締結具と、を備えた請求項１に記載の木質二方向ラーメン構造物。
【請求項３】
上記基礎は、上記梁の長手方向の中間位置の直下となる位置に、上記上面から幅方向に張り出した張出部を更に具備しており、
上記張出部の直上に立設され、上端部において上記梁の上記中間位置を支持する第８柱を更に備える請求項１または２に記載の木質二方向ラーメン構造物。
【請求項４】
上記第１梁と上記第２梁とは、相欠きによって継がれた請求項１から３のいずれかに記載の木質二方向ラーメン構造物。
【請求項５】
上記基礎は、布基礎である請求項１から４のいずれかに記載の木質二方向ラーメン構造物。
【発明の詳細な説明】
【技術分野】
【０００１】
本発明は、木質二方向ラーメン構造物に関する。
【背景技術】
【０００２】
特許文献１は、木質二方向ラーメン構造物を開示する。この木質二方向ラーメン構造物は、４本の通し柱と、５本の管柱と、十字状に形成された端部材と、端部材に継がれる２本の集成材梁とを備える。端部材は、２枚のラミナを十字に組合せ、当該組合わせを繰り返すことによって形成される。形成された端部材は、４本の通し柱及び５本の管柱によって保持される。保持された端部材の一端または両端に、集成材梁が継がれる。
【先行技術文献】
【特許文献】
【０００３】
【特許文献１】特許第２６０１１１５号公報
【発明の概要】
【発明が解決しようとする課題】
【０００４】
特許文献１に開示された木質二方向ラーメン構造物では、４本の通し柱及び５本の管柱を使用する。したがって、一般に流通するサイズの柱を通し柱及び管柱として使用すると、柱全体として大型化する。そうすると、柱が壁から迫り出したり、壁が厚くなるという問題が生じる。
【０００５】
また、柱が大型化するから、柱を支える基礎も大型化せざるを得ないという問題がある。
【０００６】
また、端部材は、２枚のラミナを十字に組合せ、当該組合わせを繰り返すことによって形成されるから、端部材の製造が困難であるという問題がある。
【０００７】
さらに、端部材に梁を継がなくてはならず、工数が増加するとういう問題がある。
【０００８】
本発明は、前述された事情に鑑みてなされたものであり、その目的は、木質二方向ラーメン構造物において、柱や基礎の大型化を抑えることである。
【課題を解決するための手段】
【０００９】
(1)  本発明に係る木質二方向ラーメン構造物は、第１出隅部、第２出隅部、及び第３出隅部を有する基礎と、上記第１出隅部に設けられる第１柱群と、上記第２出隅部に設けられる第２柱群と、上記第３出隅部に設けられる第３柱群と、上記第１柱群及び上記第２柱群に支持される第１梁と、上記第１柱群及び上記第３柱群に支持されて、上記第１梁と同じ高さに配置される第２梁と、を備える。上記第１出隅部は、上記第２出隅部へ延びる一定幅の第１上面、及び上記第３出隅部へ延びる一定幅の第２上面が交差してなる。上記第２出隅部は、上記第１上面、及び一定幅の第３上面が交差してなる。上記第３出隅部は、上記第２上面、及び一定幅の第４上面が交差してなる。上記第１柱群は、上記第１出隅部における上記第１上面及び上記第２上面の交差位置の直上に立設された木製の第１柱と、上記第１柱から離間して上記第１上面の直上に立設され、上記第１柱と共に上記第２梁を挟む木製の第２柱と、上記第１柱から離間して上記第２上面の直上に立設され、上記第１柱と共に上記第１梁を挟む木製の第３柱と、を具備する。上記第２柱群は、上記第２出隅部における上記第２上面及び上記第３上面の直上に立設された木製の第４柱と、上記第４柱から離間して上記第３上面の直上に立設され、上記第４柱と共に上記第１梁を挟む木製の第５柱と、を具備する。上記第３柱群は、上記第３出隅部における上記第２上面及び上記第４上面の直上に立設された木製の第６柱と、上記第６柱から離間して上記第４上面の直上に立設され、上記第６柱と共に上記第２梁を挟む木製の第７柱と、を具備する。-本発明に係る木質二方向ラーメン構造物は、上記第１柱、上記第３柱、及び上記第１梁を貫通して締結する第１締結具と、上記第１柱、上記第２柱、及び上記第２梁を貫通して締結する第２締結具と、上記第４柱、上記第５柱、及び上記第１梁を貫通して締結する第３締結具と、上記第６柱、上記第７柱、及び上記第２梁を貫通して締結する第４締結具と、を更に備える。
【００１０】
第１柱、第４柱、及び第６柱は、各出隅部に配置される。第２柱は、第１上面に配置される。第３柱は、第２上面に配置される。第５柱は、第３上面に配置される。第７柱は、第４上面に配置される。したがって、各柱が壁から迫り出したり、壁が厚くなったりすることがない。また、梁と柱とを直接締結するから、端部材などの部材が不要である。
【００１１】
(2)  好ましくは、本発明に係る木質二方向ラーメン構造物は、上記第１柱と上記第２柱との間であって、上下方向において上記第１上面と上記第１梁との間に配置された第１スペーサと、上記第１柱と上記第３柱との間であって、上下方向において上記第２上面と上記第２梁との間に配置された第２スペーサと、上記第４柱と上記第５柱との間であって、上下方向において上記第１上面と上記第１梁との間に配置された第３スペーサと、上記第６柱と上記第７柱との間であって、上下方向において上記第２上面と上記第２梁との間に配置された第４スペーサと、上記第１柱、上記第２柱、及び上記第１スペーサを締結する第５締結具と、上記第１柱、上記第３柱、及び上記第２スペーサを締結する第６締結具と、上記第４柱、上記第５柱、及び上記第３スペーサを締結する第７締結具と、上記第６柱、上記第７柱、及び上記第４スペーサを締結する第８締結具と、を備えていてもよい。
【００１２】
第１スペーサは、建築作業において、第１柱と第２柱との間の距離を確保する。第２スペーサは、建築作業において、第１柱と第３柱との間の距離を確保する。第３スペーサは、建築作業において、第４柱と第５柱との間の距離を確保する。第４スペーサは、建築作業において、第６柱と第７柱との間の距離を確保する。また、第１スペーサ及び第２スペーサは、第１柱群の強度を高め、第３スペーサは第２柱群の強度を高め、第４スペーサは第３柱群の強度を高める。
【００１３】
(3)  好ましくは、上記基礎は、上記梁の長手方向の中間位置の直下となる位置に、上記上面から幅方向に張り出した張出部を更に具備していてもよい。本発明に係る木質二方向ラーメン構造物は、上記張出部の直上に立設され、上端部において上記梁の上記中間位置を支持する第８柱を更に備えていてもよい。
【００１４】
下端を張出部に支持され上端部において梁を支持する第８柱は、梁の撓み等を抑制する。
【００１５】
(4)  好ましくは、上記第１梁と上記第２梁とは、相欠きによって継がれていてもよい。
【００１６】
上記第１梁と上記第２梁とが、相欠きによって継がれることにより、上記第１梁の高さと上記第２梁の高さとを容易に揃えることができる。
【００１７】
(5)  好ましくは、上記基礎は、布基礎であってもよい。
【００１８】
ラーメン構造物では柱に集中して荷重が加わるから、より大きな荷重を支持できる布基礎が適している。
【発明の効果】
【００１９】
本発明に係る木質二方向ラーメン構造物によれば、柱や基礎の大型化を抑えることができる。
【図面の簡単な説明】
【００２０】
【図１】図１は、実施形態にかかる躯体１０の斜視図である。
【図２】図２は、木質二方向ラーメン構造物１１の斜視図である。
【図３】図３は、第１出隅部３１、第１柱群４１、及び梁６１、６２の斜視図である。
【図４】図４は、第１出隅部３１、第１柱群４１、及び梁６１、６２の分解斜視図である。
【図５】図５は、第２出隅部３２、第２柱群４２、及び第２梁６２の斜視図である。
【図６】図６は、第２出隅部３２、第２柱群４２、及び第２梁６２の分解斜視図である。
【図７】図７は、第３出隅部３３、第３柱群４３、及び第１梁６１の斜視図である。
【図８】図８は、第３出隅部３３、第３柱群４３、及び第１梁６１の分解斜視図である。
【図９】図９は、第１柱群４１と梁６１、６２の一端との締結構造を示す図である。
【図１０】図１０は、第２柱群４２と第１梁６１の他端側との締結構造を示す図である。
【図１１】図１１は、第３柱群４３と第２梁６２の他端との締結構造を示す図である。
【図１２】図１２は、変形例の木質二方向ラーメン構造物１６の斜視図である。
【発明を実施するための形態】
【００２１】
以下、本発明の実施形態について説明する。なお、以下に説明される実施形態は本発明の一例にすぎず、本発明の要旨を変更しない範囲で、本発明の実施形態を適宜変更できることは言うまでもない。
【００２２】
本実施形態の躯体１０が図１に示される。躯体１０は、木造住宅などの低層の木造建築物の躯体である。
【００２３】
躯体１０は、図２に示される木質二方向ラーメン構造物１１が複数組み合わされて構成されている。すなわち、躯体１０の形状に合わせて、複数の木質二方向ラーメン構造物１１が適宜組み合わされる。各木質二方向ラーメン構造物１１の基本構造は同一であるから、以下では、図２に示される木質二方向ラーメン構造物１１を例に説明がされる。なお、以下では、「木質二方向ラーメン構造物１１」は、単に「ラーメン構造物１１」と記載される。
【００２４】
ラーメン構造物１１は、布基礎である基礎２０と、木製の柱５１〜５９と、木製の梁６１、６２と、スペーサ７１〜７６（図４、６、８）と、締結具８１〜９０（図４、６、８）とを備える。
【００２５】
基礎２０は、第１基礎部２１、第２基礎部２２、第３基礎部２３、及び第４基礎部２４を備える。第１基礎部２１、第２基礎部２２、第３基礎部２３、及び第４基礎部２４は同形状である。基礎部２１〜２４は、水平な基面１２に設けられたベース部２５と、ベース部２５から上方へ突出する立上り部２６とをそれぞれ有する。立上り部２６は、不図示の壁や柱５１〜５９を支持する上面を有する。具体的には、第１基礎部２１は、第１上面２１Ａを有し、第２基礎部２２は、第２上面２２Ａを有し、第３基礎部２３は、第３上面２３Ａを有し、第４基礎部２４は、第４上面２４Ａを有する。
【００２６】
各上面２１Ａ〜２４Ａは、それぞれ一定幅で一方向に沿っている。具体的に説明すると、第１基礎部２１及び第４基礎部２４は、水平面に沿う第１方向１３に沿って設けられている。第２基礎部２２及び第３基礎部２３は、水平面上において第１方向１３と直交する第２方向１４に沿って設けられている。第１上面２１Ａと第２上面２２Ａとは、第１出隅部３１において交差している。第１上面２１Ａと第３上面２３Ａとは、第２出隅部３２において交差している。第２上面２２Ａと第４上面２４Ａとは、第３出隅部３３において交差している。別言すると、第１基礎部２１の第１上面２１Ａは、第１出隅部３１から第２出隅部３２へ向かって一定幅で延びており、第２出隅部３２において、第４基礎部２４の第３上面と交差している。第２基礎部２２の第２上面２２Ａは、第１出隅部３１から第３出隅部３３へ向かって一定幅で延びており、第３出隅部３３において、第４基礎部２４の第４上面２４Ａと交差している。第３基礎部２３の第３上面２３Ａは、他の出隅部から第２出隅部３２へ向かって一定幅で延びており、第２出隅部３２において、第１基礎部２１の第１上面２１Ａと交差している。第４基礎部２４の第４上面２４Ａは、他の出隅部から第３出隅部３３へ向かって一定幅で延びており、第３出隅部３３において、第２基礎部２２の第２上面２２Ａと交差している。
【００２７】
第１出隅部３１は、第１柱群４１を支持する。第２出隅部３２は、第２柱群４２を支持する。第３出隅部３３は、第３柱群４３を支持する。第１柱群４１は、後述の第１梁６１及び第２梁６２の一端を支持する。第２柱群４２は、第１梁６１の他端側（図示例では、中央部）を支持する。第３柱群４３は、第２梁６２の他端側を支持する。すなわち、第１梁６１は第１方向１３に沿って延び、第２梁６２は第２方向１４に沿って延びている。したがって、ラーメン構造物１１は、いわゆる木質二方向木質ラーメンである。
【００２８】
各柱群４１〜４３は、それぞれ３本の柱を備える。具体的には、図３及び図４に示されるように、第１柱群４１は、第１柱５１、第２柱５２、及び第３柱５３を備える。図５及び図６に示されるように、第２柱群４２は、第４柱５４、第５柱５５、及び柱５８を備える。図７及び図８に示されるように、第３柱群４３は、第６柱５６、第７柱５７、及び柱５９を備える。
【００２９】
柱５１〜５９は、上下方向１５に沿う長尺の正四角柱状であり、全て同形状である。図３に示されるように、柱５１〜５９の底面の一辺の長さＬは、上面２１Ａ、２２Ａの幅Ｗ３よりも若干短い。すなわち、柱５１〜５９は、上面２１Ａ〜２４Ａや出隅部３１〜３３の上面に配置することができる。
【００３０】
具体的に説明すると、柱５１〜５９は、上面２１Ａ〜２４Ａに配置された不図示の柱脚金具に載置される。すなわち、柱５１〜５９は、柱脚金具を介して間接的に基礎２０に支持される。柱脚金具は、例えば、上面２１Ａ〜２４Ａから上方へ突出するアンカーボルトとナットとによって基礎２０に固定される。柱脚金具と柱５１〜５９の下端とは、例えば、ピンによって結合される。すなわち、柱５１〜５９は、柱脚金具を介して基礎２０に固定される。なお、柱脚金具に代えて、土台が基礎２０に設けられていてもよい。土台は、例えば、上述のアンカーボルトによって基礎２０の上面に固定される。土台と柱５１〜５９とは、例えば、締結金具によって結合される。
【００３１】
以下、第１柱群４１の柱５１〜５３について説明がされる。第１柱５１は、第１上面２１Ａと第２上面２２Ａとの交差位置である第１出隅部３１の上面に配置される。第２柱５２は、第１上面２１Ａに、第１柱５１と離間して配置されている。第１柱５１と第２柱５２との間の離間距離Ｄ１は、第１柱５１と第２柱５２との間に第２梁６２を挟むことができるように、第２梁６２の幅Ｗ２と同一とされる。第３柱５３は、第２上面２２Ａに、第１柱５１と離間して配置されている。第３柱５３と第１柱５１との間の離間距離Ｄ２は、第１柱５１と第３柱５３との間に第１梁６１を挟むことができるように、第１梁６１の幅Ｗ１と同一とされる。なお、後述されるように、第１梁６１と第２梁６２とは同一の幅であるから、幅Ｗ１と幅Ｗ２とは同一である。したがって、離間距離Ｄ１と離間距離Ｄ２も、同一である。
【００３２】
離間距離Ｄ１は、第１柱５１と第２柱５２との間に挿入された第１スペーサ７１によって確保される。具体的に説明すると、第１スペーサ７１は、第１柱５１より短尺な四角柱状である。第１スペーサ７１は、例えば木製である。第１スペーサ７１の幅Ｗ４（図４）は、第２梁６２の幅Ｗ２と同一である。第１スペーサ７１は、第１柱５１及び第２柱５２の下端部側において第１柱５１と第２柱５２との間に配置され、第５締結具８５によって第１柱５１及び第２柱５２に取り付けられる。なお、図１及び図２では、締結具８５〜９６の図示は省略されている。
【００３３】
図示例では、第５締結具８５は、６個の貫通孔８５Ａが設けられた金属プレートである。貫通孔８５Ａは、釘や螺子やボルトを挿通される。釘や螺子やボルトは、第１柱５１、第２柱５２、及び第１スペーサ７１に打ち込まれ、またはねじ込まれる。第５締結具８５により、第１スペーサ７１は、第１柱５１と第２柱５２とに挟まれた状態で第１柱５１及び第２柱５２に固定される。第１柱５１と第２柱５２とに挟まれた第１スペーサ７１は、第１柱５１と第２柱５２との間の離間距離Ｄ１を上下方向１５において一定に保つ。すなわち、第１スペーサ７１は、第１柱５１の上端と第２柱５２の上端とが必要以上に開いたり狭くなったりすることを防止する。また、第１柱５１と第２柱５２との間に挿入された第１スペーサ７１は、ラーメン構造物１１の強度を高める。なお、第１スペーサ７１を第１柱５１及び第２柱５２に固定できるのであれば、第５締結具８５は、金属プレートでなくともよく、他の種類の締結具が用いられてもよい。例えば、第５締結具８５は、後述される締結具９１と同構成であってもよい。以下に説明される他の締結具８６〜９０についても同様である。
【００３４】
第１柱５１と第３柱５３との間の離間距離Ｄ２は、第１柱５１と第３柱５３との間に挿入された第２スペーサ７２によって確保される。第２スペーサ７２は、例えば木製である。第２スペーサ７２は、第１スペーサ７１と同形状であり、第５締結具８５と同構成の第６締結具８６によって、第１柱５１と第３柱５３とに挟まれた状態で第１柱５１及び第３柱５３に固定される。
【００３５】
第２スペーサ７２は、第１柱５１と第３柱５３との間の離間距離Ｄ２を上下方向１５において一定に保ち、かつ、ラーメン構造物１１の強度を高める。なお、第５締結具８５と第６締結具８６とを一体としてもよい。すなわち、Ｌ形状の金属プレートが第５締結具８５及び第６締結具８６として用いられてもよい。
【００３６】
次に、図５及び図６に示される第２柱群４２の柱５４、５５、５８について説明がされる。第４柱５４は、第１上面２１Ａと第３上面２３Ａとの交差位置である第２出隅部３２の上面に配置される。第５柱５５は、第３上面２３Ａに、第４柱５４と離間し、かつ第１方向１３において第３柱５３（図３）と対向して配置されている。柱５８は、第１上面２１Ａに、第４柱５４と離間して配置されている。但し、柱５８は、第４柱５４を挟んで第１柱５１の反対側に位置する。なお、柱５８に固定される後述の梁６３は、図２に示されるラーメン構造物１１の一部ではなく、躯体１０を構成する他のラーメン構造物の一部である。したがって、梁６３についての詳しい説明は省略される。
【００３７】
第４柱５４と第５柱５５との間の離間距離は、第４柱５４と第５柱５５との間に第１梁６１を挟むことができるように、第１梁６１の幅と同一とされる。第４柱５４と柱５８との間の離間距離は、第４柱５４と柱５８との間に梁６３を挟むことができるように、梁６３の幅と同一とされる。なお、第１梁６１と梁６３とは同一の幅であり、第４柱５４と第５柱５５との間の離間距離と第４柱５４と柱５８との間の離間距離は、同一である。
【００３８】
第４柱５４と第５柱５５との間の離間距離は、第４柱５４と第５柱５５との間に挿入された第３スペーサ７３によって確保される。第３スペーサ７３は、例えば木製である。第３スペーサ７３の形状は、第１スペーサ７１の形状と同一である。第３スペーサ７３は、第４柱５４及び第５柱５５の下端部側において第４柱５４と第５柱５５との間に配置され、第７締結具８７によって第４柱５４及び第５柱５５に取り付けられる。第７締結具８７の形状は、第５締結具８５の形状と同一である。第７締結具８７は、第５締結具８５と同様にして、第４柱５４、第５柱５５、及び第３スペーサ７３に取り付けられている。第７締結具８７により、第３スペーサ７３は、第４柱５４と第５柱５５とに挟まれた状態で第４柱５４及び第５柱５５に固定される。第４柱５４と第５柱５５とに挟まれた第３スペーサ７３は、第４柱５４と第５柱５５との間の離間距離を上下方向１５において一定に保つ。すなわち、第３スペーサ７３は、第４柱５４の上端と第５柱５５の上端とが必要以上に開いたり狭くなったりすることを防止する。また、第３スペーサ７３は、ラーメン構造物１１の強度を高める。
【００３９】
第４柱５４と柱５８との間の離間距離は、第４柱５４と柱５８との間に挿入されたスペーサ７５によって確保される。スペーサ７５は、第１スペーサ７１と同形状であり、第５締結具８５と同構成の締結具８９によって、第４柱５４と柱５８とに挟まれた状態で第４柱５４及び柱５８に固定される。スペーサ７５は、第４柱５４と柱５８との間の離間距離を上下方向１５において一定に保ち、かつ、ラーメン構造物１１の強度を高める。
【００４０】
次に、図７及び図８に示される第３柱群４３の柱５６、５７、５９について説明がされる。第６柱５６は、第２上面２２Ａと第４上面２４Ａとの交差位置である第３出隅部３３の上面に配置される。第７柱５７は、第４上面２４Ａに、第６柱５６と離間し、かつ第２方向１４において第２柱５２（図３）と対向して配置されている。柱５９は、第２上面２２Ａに、第６柱５６と離間して配置されている。なお、柱５９に固定される後述の梁６４は、図２に示されるラーメン構造物１１の一部ではなく、躯体１０を構成する他のラーメン構造物の一部である。したがって、梁６４についての詳しい説明は省略される。
【００４１】
第６柱５６と第７柱５７との間の離間距離は、第６柱５６と第７柱５７との間に第２梁６２を挟むことができるように、第２梁６２の幅と同一とされる。第６柱５６と柱５９との間の離間距離は、第６柱５６と柱５９との間に梁６４を挟むことができるように、梁６４の幅と同一とされる。なお、第２梁６２と梁６４とは同一の幅であり、第６柱５６と第７柱５７との間の離間距離と第６柱５６と柱５９との間の離間距離は、同一である。
【００４２】
第６柱５６と第７柱５７との間の離間距離は、第６柱５６と第７柱５７との間に挿入された第４スペーサ７４によって確保される。第４スペーサ７４は、例えば木製である。第４スペーサ７４の形状は、第１スペーサ７１の形状と同一である。第４スペーサ７４は、第６柱５６及び第７柱５７の下端部側において第６柱５６と第７柱５７との間に配置され、第８締結具８８によって第６柱５６及び第７柱５７に取り付けられる。第８締結具８８の形状は、第５締結具８５の形状と同一である。第８締結具８８は、第５締結具８５と同様にして、第６柱５６、第７柱５７、及び第４スペーサ７４に取り付けられている。第８締結具８８により、第４スペーサ７４は、第６柱５６と第７柱５７とに挟まれた状態で第６柱５６及び第７柱５７に固定される。第４スペーサ７４は、第６柱５６と第７柱５７との間の離間距離を上下方向１５において一定に保つ。すなわち、第４スペーサ７４は、第６柱５６の上端と第７柱５７の上端とが必要以上に開いたり狭くなったりすることを防止する。また、第４スペーサ７４は、ラーメン構造物１１の強度を高める。
【００４３】
第６柱５６と柱５９との間の離間距離は、第６柱５６と柱５９との間に挿入されたスペーサ７６によって確保される。スペーサ７６は、第１スペーサ７１と同形状であり、第５締結具８５と同構成の締結具９０によって、第６柱５６と柱５９とに挟まれた状態で第６柱５６及び柱５９に固定される。スペーサ７６は、第６柱５６と柱５９との間の離間距離を上下方向１５において一定に保ち、かつ、ラーメン構造物１１の強度を高める。
【００４４】
上述の柱５１〜５７により、梁６１、６２が固定される。以下、詳しく説明がされる。図３に示されるように、第１梁６１は、第１方向１３に沿う長尺の四角柱状である。図３に示されるように、第１梁６１の厚みは、強度確保のため、幅Ｗ１よりも厚くされている。図３に示されるように、第２梁６２は、第２方向１４に沿う長尺の四角柱状である。また、第２梁６２は、長さ以外、第１梁６１と同形状である。すなわち、第２梁６２の厚み及び幅は、第１梁６１の厚み及び幅と同一である。
【００４５】
第１梁６１は、相欠６１Ａ（図４）を一端に有し、相欠６１Ｂ（図６）を他端側（図示例では、中央部）に有する。相欠６１Ａ、６１Ｂは、第１梁６１の厚みの半分までの切欠きである。同様に、第２梁６２は、相欠６２Ａ（図４）を一端に有し、相欠６２Ｂ（図８）を他端に有する。相欠６２Ａ、６２Ｂは、第２梁６２の厚みの半分までの切欠きである。第１梁６１と第２梁６２とは、相欠６１Ａと相欠６２Ａとを嵌め合わせることにより、直角に継がれる。上述のように、第１梁６１と第２梁６２とは同一の厚みであり、相欠き６１Ａ、６２Ａは当該厚みの半分までの切欠きであるから、継がれた第１梁６１と第２梁６２とは、上面同士及び下面同士が面一となる。すなわち、第１梁６１と第２梁６２とは、同一高さとなる。
【００４６】
第１梁６１は、一端が第１柱５１と第３柱５３とに挟まれた状態で配置され、第１締結具８１（図９）によって固定される。なお、図１〜４では、締結具８１、８２の図示が省略されている。
【００４７】
図９に示されるように、第１締結具８１は、長尺のボルト８１Ａ及びナット８１Ｂである。第１柱５１、第３柱５３、及び第１梁６１は、ボルト８１Ａが挿通される複数個の貫通孔５１Ａ、貫通孔５３Ａ、及び貫通孔６１Ｃをそれぞれ有する。貫通孔５１Ａは、第２方向１４に沿って第１柱５１を貫通する。貫通孔５３Ａは、第２方向１４に沿って第３柱５３を貫通する。貫通孔６１Ｃは、第２方向１４に沿って第１梁６１を貫通する。ボルト８１Ａは、貫通孔５１Ａ、貫通孔６１Ｃ、及び貫通孔５３Ａに挿通され、かつナット８１Ｂと締結される。締結されたボルト８１Ａ及びナット８１Ｂは、第１梁６１の一端を第１柱５１及び第３柱５３に固定する。なお、ボルト８１Ａ及びナット８１Ｂの代わりに、木ネジなどが第１締結具８１として用いられてもよい。後述する締結具８２〜８４及び締結具９１〜９６についても同様である。
【００４８】
図示例では、第１梁６１は、補強のため、締結具９１によって第２柱５２とも締結されている。締結具９１は、第１締結具８１と同様に、ボルト９１Ａ及びナット９１Ｂである。第２柱５２は、ボルト９１Ａが挿通される貫通孔５２Ｂを有する。第１梁６１はボルト９１Ａが挿通される貫通孔６１Ｄを有する。貫通孔５２Ｂは、第２方向１４に沿って第２柱５２を貫通する。貫通孔６１Ｄは、第２方向１４に沿って第１梁６１を貫通する。ボルト９１Ａは、貫通孔５２Ｂ及び貫通孔６１Ｄに挿通され、かつナット９１Ｂと締結される。締結されたボルト９１Ａ及びナット９１Ｂは、第１梁６１の固定を補強する。
【００４９】
第２梁６２は、一端が第１柱５１と第２柱５２とに挟まれた状態で配置され、上述の第１締結具８１と同構成の第２締結具８２によって固定される。第１柱５１、第２柱５２、及び第２梁６２は、第２締結具８２のボルト８２Ａが挿通される複数個の貫通孔５１Ｂ、貫通孔５２Ａ、及び貫通孔６２Ｃをそれぞれ有する。貫通孔５１Ｂは、第１方向１３に沿って第１柱５１を貫通する。貫通孔５２Ａは、第１方向１３に沿って第２柱５２を貫通する。貫通孔６２Ｃは、第２方向１４に沿って第２梁６２を貫通する。ボルト８２Ａは、貫通孔５１Ｂ、貫通孔６２Ｃ、及び貫通孔５２Ａに挿通され、かつナット８１Ｂと締結される。締結されたボルト８２Ａ及びナット８２Ｂは、第２梁６２の一端を第１柱５１及び第２柱５２に固定する。なお、第２締結具８２のボルト８２Ａと上述の第１締結具８１のボルト８１Ａとが第１柱５１において干渉しないように、貫通孔５１Ａの高さ位置と貫通孔５１Ｂの高さ位置とが上下方向にずらされている。
【００５０】
図示例では、第２梁６２は、補強のため、締結具９２によって第３柱５３とも締結されている。締結具９２は、第１締結具８１と同様に、ボルト９２Ａ及びナット９２Ｂである。第３柱５３は、ボルト９２Ａが挿通される貫通孔５３Ｂを有する。第２梁６２はボルト９２Ａが挿通される貫通孔６２Ｄを有する。貫通孔５３Ｂは、第１方向１３に沿って第３柱５３を貫通する。貫通孔６２Ｄは、第１方向１３に沿って第２梁６２を貫通する。ボルト９２Ａは、貫通孔５３Ｂ及び貫通孔６２Ｄに挿通され、かつナット９２Ｂと締結される。締結されたボルト９２Ａ及びナット９２Ｂは、第２梁６２の固定を補強する。
【００５１】
また、図示例では、更なる補強のため、第１梁６１と第２梁６２とは、金属製の補強プレート９３によって接合されている。補強プレート９３は１２個の貫通孔９３Ａを有する。貫通孔９３Ａは、補強プレート９３を厚み方向に貫通する。貫通孔９３Ａは、不図示の木ネジをそれぞれ挿通される。８本の木ネジは、貫通孔９３Ａに挿通され、相欠６２Ａの両側において４本ずつ第２梁６２にねじ込まれる。また、４木ネジは、貫通孔９３Ａに挿通され、第１梁６１にねじ込まれる。補強プレート９３は、第１梁６１と第２梁６２との結合を補強する。なお、図示例では、第１梁６１と第２梁６２との上側のみが補強プレート９３で補強されているが、補強プレート９３と同構成の補強プレートが第１梁６１と第２梁６２との下側にも設けられていてもよい。後述の補強プレート９５、９７についても同様である。
【００５２】
図５に示されるように、第１梁６１の他端側（図示例では中央部）は、第２柱群４２に固定される。詳しく説明すると、第１梁６１は、第４柱５４と第５柱５５とに挟まれた状態で配置され、第１締結具８１と同構成の第３締結具８３（図１０）によって固定される。なお、図１、２及び図５、６では、締結具８３、９４の図示は省略されている。
【００５３】
図１０に示されるように、第４柱５４、第５柱５５、及び第１梁６１は、第３締結具８３のボルト８３Ａが挿通される複数個の貫通孔５４Ａ、貫通孔５５Ａ、及び貫通孔６１Ｅをそれぞれ有する。貫通孔５４Ａは、第２方向１４に沿って第４柱５４を貫通する。貫通孔５５Ａは、第２方向１４に沿って第５柱５５を貫通する。貫通孔６１Ｅは、第２方向１４に沿って第１梁６１を貫通する。ボルト８３Ａは、貫通孔５４Ａ、貫通孔６１Ｅ、及び貫通孔５５Ａに挿通され、ナット８３Ｂと締結される。締結されたボルト８３Ａ及びナット８３Ｂは、第１梁６１の他端側（図示例では中央部）を第４柱５４及び第５柱５５に固定する。
【００５４】
図示例では、第１梁６１は、補強のため、締結具９４によって柱５８とも締結されている。締結具９４は、第１締結具８１と同様に、ボルト９４Ａ及びナット９４Ｂである。柱５８は、ボルト９４Ａが挿通される貫通孔５８Ａを有する。第１梁６１はボルト９４Ａが挿通される貫通孔６１Ｆを有する。貫通孔５８Ａは、第２方向１４に沿って柱５８を貫通する。貫通孔６１Ｆは、第２方向１４に沿って第１梁６１を貫通する。ボルト９４Ａは、貫通孔５８Ａ及び貫通孔６１Ｆに挿通され、かつナット９４Ｂと締結される。締結されたボルト９４Ａ及びナット９４Ｂは、第１梁６１の固定を補強する。
【００５５】
また、図示例では、更なる補強のため、第１梁６１と梁６３とは、金属製の補強プレート９５によって接合されている。補強プレート９５は、補強プレート９３と同形状である。補強プレート９５は、補強プレート９３と同様にして、第１梁６１と梁６３とに取り付けられる。取り付けられた補強プレート９５は、第１梁６１と梁６３との結合を補強する。
【００５６】
第２梁６２は、図７に示されるように、他端が第６柱５６と第７柱５７とに挟まれた状態で配置され、第１締結具８１と同構成の第４締結具８４（図１１）によって固定される。なお、図１、２及び図４、５では、締結具８４、９６の図示が省略されている。
【００５７】
図１１に示されるように、第６柱５６、第７柱５７、及び第２梁６２は、第４締結具８４のボルト８４Ａが挿通される複数個の貫通孔５６Ａ、貫通孔５７Ａ、及び貫通孔６２Ｅをそれぞれ有する。貫通孔５６Ａは、第１方向１３に沿って第６柱５６を貫通する。貫通孔５７Ａは、第１方向１３に沿って第７柱５７を貫通する。貫通孔６２Ｅは、第１方向１３に沿って第２梁６２を貫通する。ボルト８４Ａは、貫通孔５６Ａ、貫通孔６２Ｆ、及び貫通孔５７Ａに挿通され、ナット８４Ｂと締結される。締結されたボルト８４Ａ及びナット８４Ｂは、第２梁６２の他端を第６柱５６及び第７柱５７に固定する。
【００５８】
図示例では、第２梁６２は、補強のため、締結具９６によって柱５９とも締結されている。締結具９６は、第１締結具８１と同様に、ボルト９６Ａ及びナット９６Ｂである。柱５９は、ボルト９６Ａが挿通される貫通孔５９Ａを有する。第２梁６２はボルト９６Ａが挿通される貫通孔６２Ｆを有する。貫通孔５９Ａは、第１方向１３に沿って柱５９を貫通する。貫通孔６２Ｆは、第１方向１３に沿って柱５９を貫通する。ボルト９６Ａは、貫通孔５９Ａ及び貫通孔６２Ｆに挿通され、かつナット９６Ｂと締結される。締結されたボルト９６Ａ及びナット９６Ｂは、第２梁６２の固定を補強する。
【００５９】
また、図示例では、更なる補強のため、第２梁６２と梁６４とは、金属製の補強プレート９７によって接合されている。補強プレート９７は、補強プレート９３と同形状である。補強プレート９７は、補強プレート９３と同様にして、第２梁６２と梁６４とに取り付けられる。取り付けられた補強プレート９７は、第２梁６２と梁６４との結合を補強する。
【００６０】
上述のように、第１梁６１は、第１柱５１及び第３柱５３に一端を固定され、第４柱５４及び第５柱５５に他端側を固定される。一方、第２梁６２は、第１柱５１及び第２５２に一端を固定され、第６柱５６及び第７柱５７に他端を固定される。また、第１梁６１と第２梁６２とは、一端において、相欠６１Ａ、６２Ａにより、同一高さで継がれる。このようにして構成された梁６１、６２、柱５１〜５７、基礎２０により、ラーメン構造物１１が構成される。
【００６１】
［作用効果］
本実施形態では、第１柱５１、第４柱５４、及び第６柱５６は、出隅部３１、３２、３３にそれぞれ配置される。また、第２柱５２は、第１上面２１Ａに配置される。第３柱５３は、第２上面２２Ａに配置される。第５柱５５は、第３上面２３Ａに配置される。第７柱５７は、第４上面２４Ａに配置される。したがって、一定幅の上面２１Ａ〜２４Ａを有する従来の基礎２０を使用して、ラーメン構造物１１を構成することができる。すなわち、出隅部３１〜３３を大きくするなどの従来と相違する構成の基礎を使用しなくとも、ラーメン構造物１１を構成することができる。また、上面２１Ａ〜２４Ａの上面に柱５１〜５９を設けるから、柱５１〜５７が壁から迫り出したり、壁が厚くなったりすることがない。また、梁６１、６２と柱５１〜５７とを直接締結するから、端部材などの部材が不要である。
【００６２】
また、本実施形態では、スペーサ７１〜７４により、柱５１〜５７間の離間距離が上下方向１５において一定に保たれる。その結果、躯体１０の施工を容易にできる。また、スペーサ７１〜７４により、ラーメン構造物１１の強度が高められる。
【００６３】
また、本実施形態では、相欠６１Ａ、６２Ａによって第１梁６１と第２梁６２とが継がれているから、第１梁６１と第２梁６２とを同一の高さにすることができ、かつ、ラーメン構造物１１の強度を高めることができる。
【００６４】
また、本実施形態では、基礎２０に布基礎が用いられている。ラーメン構造物では、柱に荷重が集中する。布基礎を用いることにより、荷重が集中する柱５１〜５７を確実に支持することができる。
【００６５】
[変形例]
以下では、図１２に示されるように、第２梁６２の撓み等を防止する第８柱６０を更に備えた木質二方向ラーメン構造物１６が説明される。なお、上述の実施形態と同様の構成には、同一の符号が付され、説明が省略される。
【００６６】
木質二方向ラーメン構造物１６は、基礎２７と、柱群４１〜４３と、梁６１、６２と、木製の第８柱６０とを備える。
【００６７】
基礎２７は、張出部２８を備える点において、基礎２０と相違する。張出部２８は、第２梁６２の長手方向（第２方向１４）における中間位置の直下となる位置に設けられている。張出部２８は、第２基礎部２２の第２上面２２Ａから幅方向に張り出した上面２８Ａを有する。第２上面２２Ａと上面２８Ａとは面一である。すなわち、上面２８Ａは、水平面に沿う。上面２８Ａは、上述の実施形態で説明された柱脚金具を取り付けられる。第８柱６０は、この柱脚金具に載置され、固定される。
【００６８】
図示例では、第８柱６０は、上下方向１５に長い長尺の正四角形状である。第８柱６０の上下方向１５に沿う長さは、張出部２８の上面２８Ａから第２梁６２の下面までの距離と略同一とされる。第８柱６０は、下端を柱脚金具に当接させ、上端を第２梁６２の下面に当接させて配置される。第８柱６０の上端は、不図示の取付金具を用いて第２梁６２と結合される。なお、第８柱６０は、柱５１〜５９と同じ太さであってもよいし、柱５１〜５９より細くてもよい。また、第８柱６０は、上下方向１５に長い長尺の円柱形状であってもよい。
【００６９】
第８柱６０により、第２梁６２の撓み等が防止される。第８柱６０は、例えば、梁の長さが一定の長さを超えると設けられる。
【００７０】
上述の実施形態では、基礎２０が布基礎である例が説明されたが、基礎２０は、ベタ基礎であってもよい。
【００７１】
上述の実施形態では、躯体１０がラーメン構造物１１のみで構成された例が説明された。しかしながら、躯体１０は、ラーメン構造物１１と、それ以外の構造物とを組み合わせて構成されてもよい。例えば、図２に示されるラーメン構造物１１における梁６３、６４にの不図示の他端は、１本の柱によって支持されていてもよい。
【００７２】
上述の実施形態では、第１上面２１Ａと第２上面２２Ａとが直交する例が説明された。しかしながら、第１上面２１Ａと第２上面２２Ａとは、鋭角または鈍角で交差していてもよい。第１上面２１Ａと第２上面２２Ａとが鋭角または鈍角で交差する場合、例えば、柱５１〜５７における梁６１、６２との結合部は、梁６１、６２の側面に合わせて面取りされる。
【００７３】
上述の実施形態では、第１梁６１と第２梁６２とは、相欠６１Ａ、６２Ａによって継がれた例が説明された。しかしながら、第１梁６１と第２梁６２とは、ほぞ差し（ほぞ継ぎ）や、突き付け（突合せ）によって継がれてもよい。突き付けによって継がれる場合、第１梁６１と第２梁６２とは、上述の補強プレート９３などを用いて相互に締結される。
【符号の説明】
【００７４】
１０・・・躯体
１１、１６・・・木質二方向ラーメン構造物
２０、２７・・・基礎
２１Ａ・・・第１上面
２２Ａ・・・第２上面
２３Ａ・・・第３上面
２４Ａ・・・第４上面
３１・・・第１出隅部
３２・・・第２出隅部
３３・・・第３出隅部
４１・・・第１柱群
４２・・・第２柱群
４３・・・第３柱群
５１・・・第１柱
５２・・・第２柱
５３・・・第３柱
５４・・・第４柱
５５・・・第５柱
５６・・・第６柱
５７・・・第７柱
６０・・・第８柱
６１・・・第１梁
６１Ａ・・・相欠
６２・・・第２梁
６２Ａ・・・相欠
７１・・・第１スペーサ
７２・・・第２スペーサ
７３・・・第３スペーサ
７４・・・第４スペーサ
８１・・・第１締結具
８２・・・第２締結具
８３・・・第３締結具
８４・・・第４締結具
８５・・・第５締結具
８６・・・第６締結具
８７・・・第７締結具
８８・・・第８締結具
【図１】
2018178509.tif 000003
【図２】
2018178509.tif 000004
【図３】
2018178509.tif 000005
【図４】
2018178509.tif 000006
【図５】
2018178509.tif 000007
【図６】
2018178509.tif 000008
【図７】
2018178509.tif 000009
【図８】
2018178509.tif 000010
【図９】
2018178509.tif 000011
【図１０】
2018178509.tif 000012
【図１１】
2018178509.tif 000013
【図１２】
2018178509.tif 000014